(57)【要約】【課題】追加又は除去されるチャネルの波長に関係なく作動し、高速スイッチングの可能な光アド／ドロップ多重化器を提供する。【解決手段】波長分割多重方式の光信号に対する光アド／ドロップ多重化器であって、光信号を送受信し、該光信号の逆多重化されたチャネルのための通路になる多数の逆多重化ポート２２３〜２２５を具備する波長分割多重化部２２０と、逆多重化ポート２２３〜２２５にそれぞれ連結され、入力チャネルを透過又は反射させるための反射器２３４〜２５４を具備する多数のアド／ドロップ部２３０〜２５０と、を備え、各アド／ドロップ部は、反射器の透過又は反射により波長分割多重化部からのチャネルを除去するか又は波長分割多重化部へチャネルを追加するように構成されることを特徴とする。【選択図】図２
2004336783.tif 000002
【特許請求の範囲】
【請求項１】
波長分割多重方式の光信号に対するチャネル追加又は除去を行うための光アド／ドロップ多重化器において、
光信号を送受信し、該光信号の逆多重化されたチャネルのための通路になる多数の逆多重化ポートを具備する波長分割多重化部と、前記波長分割多重化部の逆多重化ポートにそれぞれ連結され、入力チャネルを透過又は反射させるための反射器を具備する多数のアド／ドロップ部と、を備え、
前記各アド／ドロップ部は、前記反射器の透過又は反射により前記波長分割多重化部からのチャネルを除去するか又は前記波長分割多重化部へチャネルを追加するように構成されることを特徴とする光アド／ドロップ多重化器。
【請求項２】
多重化光信号を伝送する光ファイバと連結されている請求項１に記載の光アド／ドロップ多重化器。
【請求項３】
各アド／ドロップ部は多数のポートをもつ循環部を有し、該循環部が、上位ポートから入力したチャネルを隣接した下位ポートに出力するようになっている請求項２に記載の光アド／ドロップ多重化器。
【請求項４】
波長分割多重化部は、多重化光信号を伝送するために光ファイバと連結されて前記多重化光信号のための通路になる入力及び出力ポートを有する請求項２に記載の光アド／ドロップ多重化器。
【請求項５】
各アド／ドロップ部の循環部は、第２ポート及び第４ポートが反射器に連結され、波長分割多重化部の逆多重化ポートと連結された第３ポートを通じて受信したチャネルを前記第４ポートに出力し、該第４ポートに連結された前記反射器により反射されて前記第４ポートに受信される前記チャネルを第５ポートに出力することにより該当チャネルを除去し、第１ポートを通じて受信したチャネルを前記第２ポートに出力し、該第２ポートに連結された前記反射器により反射されて前記第２ポートに受信される前記チャネルを前記第３ポートに出力することにより該当チャネルを追加する請求項３又は請求項４に記載の光アド／ドロップ多重化器。
【請求項６】
アド／ドロップ部の反射器は、波長無依存性の反射器である請求項１〜５のいずれか１項に記載の光アド／ドロップ多重化器。
【請求項７】
波長分割多重方式の光信号に対するチャネル追加又は除去を行うための光アド／ドロップ多重化器において、
受信した光信号を波長分割逆多重化し、該逆多重化された各チャネルをその波長に対応する逆多重化ポートに出力する第１波長分割多重化器と、
前記第１波長分割多重化器の逆多重化ポートとそれぞれ連結され、第１及び第２サーキュレーターと該第１及び第２サーキュレーターの間に連結されて入力チャネルを透過又は反射させる反射器とを有する多数のアド／ドロップ部と、
前記各アド／ドロップ部にそれぞれ連結された逆多重化ポートから多数のチャネルを受信して波長分割多重化する第２波長分割多重化器と、を備え、
前記各アド／ドロップ部は、前記第１及び第２サーキュレーターと前記反射器とを用いて、前記第１波長分割多重化部からのチャネルを除去するか又は前記第２波長分割多重化部へチャネルを追加するように構成されることを特徴とする光アド／ドロップ多重化器。
【請求項８】
第１波長分割多重化部は、多重化光信号を受信するために光ファイバと連結される多重化ポートを有する請求項７に記載の光アド／ドロップ多重化器。
【請求項９】
各アド／ドロップ部の第１及び第２サーキュレーターは、上位ポートに入力したチャネルを隣接した下位ポートに出力する請求項７に記載の光アド／ドロップ多重化器。
【請求項１０】
第１サーキュレーターは、第１波長分割多重化部の逆多重化ポートと連結された第１ポートを通じて受信したチャネルを第２ポートに出力し、該第２ポートに連結された反射器により反射されて前記第２ポートに受信される前記チャネルを第３ポートに出力することにより、該当チャネルを除去する請求項９に記載の光アド／ドロップ多重化器。
【請求項１１】
第２サーキュレーターは、第１ポートを通じて受信したチャネルを第２ポートに出力し、該第２ポートに連結された反射器により反射されて前記第２ポートに受信される前記チャネルを、第２波長分割多重化部の逆多重化ポートと連結された第３ポートに出力することにより、該当チャネルを追加する請求項９に記載の光アド／ドロップ多重化器。
【請求項１２】
各アド／ドロップ部の反射器は、波長無依存性の反射器である請求項７〜１１のいずれか１項に記載の光アド／ドロップ多重化器。
【請求項１３】
第１及び第２波長分割多重化部は配列導波路型格子からなる請求項７に記載の光アド／ドロップ多重化器。
【発明の詳細な説明】
【技術分野】
【０００１】
本発明は、波長分割多重（wavelength division  multiplexing：ＷＤＭ）システムに関し、特に、多重化された光信号に対して既設定されたチャネルを追加するか除去するための光アド／ドロップ多重化器（optical add/drop multiplexer：ＡＤＭ）に関する。
【背景技術】
【０００２】
最近、単芯光ファイバ（optical fiber）を通じて相違なる波長を有する多数のチャネルを伝送する波長分割多重技術が実用化されるにつれて、超高速かつ大容量の光信号伝送が可能になった。のみならず、光素子技術の発達により、光学的に、光信号の経路を設定又はスイッチングしたりあるいは光信号を分岐又は結合することが可能になったため、波長分割多重技術に基づいた光通信網の構築が可能になった。
【０００３】
通常、光アド／ドロップ多重化器は一対の波長分割多重化器と、多数の光スイッチ（optical switch）とを含む。波長分割多重化器としては、チャネルの拡張が容易で制御も簡単な上に集積度（integration）に優れた配列導波路型格子（arrayed-waveguide grating：ＡＷＧ）が多用されている。光スイッチとしては２×２光空間スイッチ（space switch）や波長依存性を有する光ファイバブラッグ格子（optical fiber Bragg grating：ＦＢＧ）が多用されている。
【０００４】
図１は従来の技術による光アド／ドロップ多重化器の構成を示した図面である。この光アド／ドロップ多重化器は、多重化された光信号の伝送のための光ファイバ１１０に連結され、それぞれ多数のポートを具備する第１及び第２サーキュレーター（circulator：Ｃ）１２０，１４０と、第１〜第ｎ光ファイバブラッグ格子１３１〜１３３と、第１及び第２波長分割多重化器１５０，１６０とを有する。この際、ｎは３以上の自然数である。理解の便宜上、各サーキュレーター１２０，１４０の参照符号が“＃＃＃”であれば、当該サーキュレーター１２０，１４０の第ｍポートは“ｍ”と示すと共に“＃＃＃ｍ”と記載することにする。この際、ｍは自然数である。光アド／ドロップ多重化器に入出力される多重化光信号は相違なる波長を有する多数のチャネルを含むが、第ｍチャネルは第ｍ波長を有するものとする。
【０００５】
第１サーキュレーター１２０は第１〜第３ポート１２０１〜１２０３を具備し、上位ポートに入力された光信号を下位ポートに出力する機能を行う。すなわち、第１サーキュレーター１２０は、第１ポート１２０１に入力された光信号を第２ポート１２０２に出力し、第２ポート１２０２に入力されたチャネルを第３ポート１２０３に出力する。
【０００６】
第１〜第ｎ光ファイバブラッグ格子１３１〜１３３は、第１及び第２サーキュレーター１２０，１４０の第２ポート１２０２，１４０２の間に連結され、それぞれオン／オフ（on/off）状態に応じて、入力された光信号を通過（オフ状態）させるか、既設定されたチャネルのみを反射（オン状態）させる。例えば、第２光ファイバブラッグ格子１３２は第２チャネル（λ２）のみを反射できるように設定され、第ｎ光ファイバブラッグ格子１３３は第ｎチャネル（λｎ）のみを反射できるように設定される。
【０００７】
第１波長分割多重化器１５０は、第１多重化ポート（multiplexing port：ＭＰ）１５１と第１１〜第１ｎ逆多重化ポート（demultiplexing port：ＤＰ）１５２〜１５４を具備する。第１波長分割多重化器１５０の第１多重化ポート１５１は、第１サーキュレーター１２０の第３ポート１２０３と連結される。第１波長分割多重化器１５０は、第１多重化ポート１５１に入力されたチャネルを当該波長に対応する逆多重化ポート１５２〜１５４に出力する機能を行う。例えば、第１波長分割多重化器１５０は、第１多重化ポート１５１に入力された第２チャネル（λ２）を第１２逆多重化ポート１５３に出力し、また、同じく入力された第ｎチャネル（λｎ）を第１ｎ逆多重化ポート１５４に出力する。
【０００８】
第２サーキュレーター１４０は、第１ポート１４０１に入力されたチャネルを第２ポート１４０２に出力し、第２ポート１４０２に入力された光信号を第３ポート１４０３に出力する。
【０００９】
第２波長分割多重化器１６０は、第２多重化ポート１６１と第２１〜第２ｎ逆多重化ポート１６２〜１６４を具備する。第２波長分割多重化器１６０の第２多重化ポート１６１は第２サーキュレーター１４０の第１ポート１４０１と連結される。この第２波長分割多重化器１６０は、各波長に対応する逆多重化ポート１６２〜１６４に入力されたチャネルを第２多重化ポート１６１に出力する機能を行う。
【００１０】
このような光アド／ドロップ多重化器が、入力された光信号から第１チャネル（λ１）を除去する第１の場合と、光信号に第２チャネル（λ２）を追加する第２の場合を例に挙げて説明すると下記の通りである。
【００１１】
制御部（図示せず）は、第１及び第２光ファイバブラッグ格子１３１，１３２をオン状態に、残りの光ファイバブラッグ格子１３３をオフ状態に制御する。まず、第１の場合を見てみると、第１サーキュレーター１２０は第１ポート１２０１に入力された光信号を第２ポート１２０２に出力し、そして第１光ファイバブラッグ格子１３１が、光信号を構成するチャネル（λ１〜λｎ）のうち第１チャネル（λ１）のみを反射させる。第１サーキュレーター１２０は反射により第２ポート１２０２に入力された第１チャネル（λ１）を第３ポート１２０３に出力する。第１波長分割多重化器１５０は、第１多重化ポート１５１に入力された第１チャネル（λ１）を第１１逆多重化ポート１５２に出力することにより、第１チャネル（λ１）を除去する。
【００１２】
次に、第２の場合を見てみると、第１〜第ｎ光ファイバブラッグ格子１３１〜１３３を通過した光信号は第２サーキュレーター１４０の第２ポート１４０２に入力され、第２サーキュレーター１４０は、第２ポート１４０２に入力された光信号を第３ポート１４０３に出力する。第２波長分割多重化器１６０は、第２２逆多重化ポート１６３に入力された第２チャネル（λ２）を第２多重化ポート１６１に出力し、そして第２サーキュレーター１４０が、第１ポート１４０１に入力された第２チャネル（λ２）を第２ポート１４０２に出力する。第２光ファイバブラッグ格子１３２は入力された第２チャネル（λ２）を反射させ、第２サーキュレーター１４０は、第２ポート１４０２に入力された第２チャネル（λ２）を第３ポート１４０３に出力することにより、第２チャネル（λ２）を光信号に追加する。
【００１３】
上述したような従来の技術による光アド／ドロップ多重化器は、多数の光ファイバブラッグ格子１３１〜１３３を縦列接続した構造を有するので、追加または除去されるチャネルが通るべき光ファイバブラッグ格子の数は、そのチャネルの該当波長によって異なることになる。例えば、第１チャネル（λ１）を除去する場合の第１チャネル（λ１）は第１光ファイバブラッグ格子１３１で反射されるが、第３チャネル（λ３）を除去する場合の第３チャネル（λ３）は第１及び第２光ファイバブラッグ格子１３１，１３２をそれぞれ二回ずつ通らなければならない。この際、追加又は除去されるチャネルにおいて各光ファイバブラッグ格子を通る時に光損失が発生する。従って、追加又は除去されるチャネルはその波長によって電力が異なるという問題点が発生する。かつ、各光ファイバブラッグ格子１３１〜１３３を制御するために周辺の温度や印加張力を制御するのが通常であるが、このような制御にかかる時間が比較的長いため高速スイッチングが難しいという問題点がある。
【発明の開示】
【発明が解決しようとする課題】
【００１４】
本発明は前述した従来の問題点を解決するために案出されたものであり、追加又は除去されるチャネルの波長に関係なく作動し、高速スイッチングの可能な光アド／ドロップ多重化器を提供することにその目的がある。また、従来に比べてより簡単な構成で低コストの光アド／ドロップ多重化器を提供することに他の目的がある。
【課題を解決するための手段】
【００１５】
このような目的を達成するために、本発明に係る波長分割多重方式の光信号に対するチャネル追加又は除去を行うための光アド／ドロップ多重化器は、光信号を送受信し、該光信号の逆多重化されたチャネルのための通路になる多数の逆多重化ポートを具備する波長分割多重化部と、この波長分割多重化部の逆多重化ポートにそれぞれ連結され、入力チャネルを透過又は反射させるための反射器を具備する多数のアド／ドロップ部と、を備え、その各アド／ドロップ部が、反射器の透過又は反射により波長分割多重化部からのチャネルを除去するか又は波長分割多重化部へチャネルを追加するように構成されることを特徴とする。
【００１６】
このような光アド／ドロップ多重化器は多重化光信号を伝送する光ファイバと連結され、この場合特に波長分割多重化部が、多重化光信号を伝送するために光ファイバと連結されて多重化光信号のための通路となる入力及び出力ポートを有するものとする。また、各アド／ドロップ部は多数のポートをもつ循環部を有するものとし、この循環部が、上位ポートから入力したチャネルを隣接した下位ポートに出力する構成となっているのがよい。より詳細には、循環部は、第２ポート及び第４ポートが反射器に連結され、波長分割多重化部の逆多重化ポートと連結された第３ポートを通じて受信したチャネルを第４ポートに出力し、該第４ポートに連結された反射器により反射されて第４ポートに受信されるチャネルを第５ポートに出力することにより該当チャネルを除去し、第１ポートを通じて受信したチャネルを第２ポートに出力し、該第２ポートに連結された反射器により反射されて第２ポートに受信されるチャネルを第３ポートに出力することにより該当チャネルを追加する構成とすることができる。このようなアド／ドロップ部の反射器は、波長無依存性の反射器とすることが可能である。
【００１７】
あるいは、本発明に係る波長分割多重方式の光信号に対するチャネル追加又は除去を行うための光アド／ドロップ多重化器は、受信した光信号を波長分割逆多重化し、該逆多重化された各チャネルをその波長に対応する逆多重化ポートに出力する第１波長分割多重化器と、この第１波長分割多重化器の逆多重化ポートとそれぞれ連結され、第１及び第２サーキュレーターと該第１及び第２サーキュレーターの間に連結されて入力チャネルを透過又は反射させる反射器とを有する多数のアド／ドロップ部と、これら各アド／ドロップ部にそれぞれ連結された逆多重化ポートから多数のチャネルを受信して波長分割多重化する第２波長分割多重化器と、を備え、各アド／ドロップ部が、第１及び第２サーキュレーターと反射器とを用いて、第１波長分割多重化部からのチャネルを除去するか又は第２波長分割多重化部へチャネルを追加するように構成されることを特徴とする。
【００１８】
第１波長分割多重化部は、多重化光信号を受信するために光ファイバと連結される多重化ポートを有するものとする。また、各アド／ドロップ部の第１及び第２サーキュレーターは、上位ポートに入力したチャネルを隣接した下位ポートに出力する構成とし、より詳細には、第１サーキュレーターは、第１波長分割多重化部の逆多重化ポートと連結された第１ポートを通じて受信したチャネルを第２ポートに出力し、該第２ポートに連結された反射器により反射されて第２ポートに受信されるチャネルを第３ポートに出力することにより、該当チャネルを除去するようにし、第２サーキュレーターは、第１ポートを通じて受信したチャネルを第２ポートに出力し、該第２ポートに連結された反射器により反射されて第２ポートに受信されるチャネルを、第２波長分割多重化部の逆多重化ポートと連結された第３ポートに出力することにより、該当チャネルを追加する構成とすることができる。これら各アド／ドロップ部の反射器は、波長無依存性の反射器とすることが可能で、また、第１及び第２波長分割多重化部は配列導波路型格子からなるものとすることが可能である。
【発明の効果】
【００１９】
本発明に係る光アド／ドロップ多重化器は、受動素子であるサーキュレーターと波長無依存性の反射器を用いることにより、追加又は除去されるチャネルの波長に関係なく作動し、高速スイッチングが可能で、制御が容易である。また、本発明に係る光アド／ドロップ多重化器は、受動素子であるサーキュレーターと波長無依存性の反射器を用いることにより、温度調節装置のような付随的な装置を最小化できて、簡単な構成で低コスト化が可能になる。
【発明を実施するための最良の形態】
【００２０】
以下、本発明に係る好ましい実施形態を添付図面を参照しつつ詳細に説明する。尚、本発明の説明において、関連した公知機能や構成に対する具体的な説明は本発明の要旨を明確にするために省くことにする。
【００２１】
以下の図２ないし図４に示した光アド／ドロップ多重化器は、多数のポートを具備する循環部又はサーキュレーターを含むが、循環部又はサーキュレーターの参照符号が“＃＃＃”であれば、該循環部又はサーキュレーターの第ｍポートは“ｍ”と示すと共に“＃＃＃ｍ”と記載することにする。この際、ｍは自然数である。かつ、光アド／ドロップ多重化器に入出力される多重化光信号は相違なる波長を有する多数のチャネルを含むが、第ｍチャネルは第ｍ波長を有することとする。
【００２２】
図２は本発明による光アド／ドロップ多重化器の第１実施例を示したブロック図である。光アド／ドロップ多重化器は波長分割多重化部（ＷＤＭ  part）２２０と、波長分割多重化部２２０と連結される第１〜第ｎアド／ドロップ部２３０，２４０，…，２５０を含む。この際、ｎは３以上の自然数である。
【００２３】
波長分割多重化部２２０は、多重化された光信号伝送のための光ファイバ２１０と連結される入力ポート（input port：ＩＮ）２２１及び出力ポート（output port：ＯＵＴ）２２２と、それぞれ逆多重されたチャネルの通路になる第１〜第ｎ逆多重化ポート２２３〜２２５を具備する。波長分割多重化部２２０は、入力ポート２２１に入力された多重化光信号を波長分割逆多重化し、この逆多重化された各チャネルを該当波長に対応する逆多重化ポート２２３〜２２５に出力する。例えば、波長分割多重化部２２０は第２チャネル（λ２）を第２逆多重化ポート２２４に出力し、第ｎチャネル（λｎ）を第ｎ逆多重化ポート２２５に出力する。また、波長分割多重化部２２０は、第１〜第ｎ逆多重化ポート２２３〜２２５に入力された多数のチャネル（λ１〜λｎ）を波長分割多重化し、多重化された光信号を出力ポート２２２に出力する。
【００２４】
第１〜第ｎアド／ドロップ部２３０，２４０，…，２５０は、第１〜第ｎ逆多重化ポート２２３〜２２５とそれぞれ（一対一で）連結される。この第１〜第ｎアド／ドロップ部２３０，２４０，…，２５０はそれぞれ、循環部（circulating part：ＣＰ）２３２，２４２，２５２と反射器（Reflector：Ｒ）２３４，２４４，２５４とを備えている。第１〜第ｎアド／ドロップ部２３０，２４０，…，２５０はすべて同構成なので、以下、第１アド／ドロップ部２３０を代表として説明することにする。
【００２５】
第１アド／ドロップ部２３０の第１循環部２３２は、第１〜第５ポート２３２１〜２３２５を具備し、第１循環部２３２はその上位ポートに入力されたチャネルを隣接した下位ポートに出力するように構成される。例えば、第１循環部２３２は、第１ポート２３２１に入力されたチャネルを第２ポート２３２２に出力し、第２ポート２３２２に入力されたチャネルを第３ポート２３２３に出力する。第１ポート２３２１は追加されるチャネルの通路になり、第５ポート２３２５は除去されるチャネルの通路になり、そして第３ポート２３２３は第１逆多重化ポート２２３と連結される。第２ポート２３２２と第４ポート２３２４は相互連結されている。
【００２６】
第１アド／ドロップ部２３０の第１反射器２３４は、第１循環部２３２の第２及び第４ポート２３２２，２３２４と連結され、オン／オフ状態に応じて、入力されたチャネルを透過（オフ状態）させるか反射（オン状態）させる。このような第１反射器２３４としては、制御信号に応じて透過率が変化したり透過波長が変化したりする波長無依存性の両面反射器（bi-lateral reflector）を使用することができる。
【００２７】
このような光アド／ドロップ多重化器が、入力された光信号から第１チャネル（λ１）を除去する場合と、光信号に第１チャネル（λ１）を追加する場合を例に挙げて説明すると下記の通りである。
【００２８】
これらの場合、制御部（図示せず）は第１反射器２３４をオン状態に、残りの第２〜第ｎ反射器２４４，２５４をオフ状態に制御する。
【００２９】
まず、第１アド／ドロップ部２３０の第１チャネル（λ１）の除去過程を説明すると、波長分割多重化部２２０は入力ポート２２１に入力された光信号を波長分割逆多重化し、逆多重化された第１チャネル（λ１）を第１逆多重化ポート２２３に出力する。第１逆多重化ポート２２３は第１アド／ドロップ部２３０と連結されている。第１アド／ドロップ２３０の第１循環部２３２は、第３ポート２３２３に入力された第１チャネル（λ１）を第４ポート２３２４に出力し、そして第１反射器２３４がその第１チャネル（λ１）を反射させる。第１循環部２３２は、反射して第４ポート２３２４に入力された第１チャネル（λ１）を第５ポート２３２５に出力することにより、第１チャネル（λ１）を除去する。
【００３０】
次に、第１アド／ドロップ２３０の第１チャネル（λ１）の追加過程を説明すると、第１循環部２３２は、第１ポート２３２１に入力された第１チャネル（λ１）を第２ポート２３２２に出力し、そして第１反射器２３４がその第１チャネル（λ１）を反射させる。第１循環部２３２は、反射して第２ポート２３２２に入力された第１チャネル（λ１）を第３ポート２３２２に出力し、この第３ポート２３２３は波長分割多重化部２２０の第１逆多重化部ポート２２３と連結されている。波長分割多重化部２２０は第１逆多重化ポート２２３と残りの第２〜第ｎ逆多重化ポート２２４，２２５に入力された全チャネル（λ１〜λｎ）を波長分割多重化し、多重化された光信号を出力ポート２２２に出力する。
【００３１】
図３は本発明による光アド／ドロップ多重化器の第２実施例を示した図面である。この光アド／ドロップ多重化器は、第１及び第２波長分割多重化部３２０，３６０と、第１及び第２波長分割多重化部３２０，３６０の間に連結された第１〜第ｎアド／ドロップ部３３０，３４０，…，３５０とを有している。
【００３２】
第１波長分割多重化部３２０は、多重化された光信号伝送のための光ファイバ３１０と連結される第１多重化ポート３２１と、それぞれ逆多重化されたチャネルの通路になる第１１〜第１ｎ逆多重化ポート３２２〜３２４を具備する。第１波長分割多重化部３２０は、第１多重化ポート３２１に入力された多重化光信号を波長分割逆多重化し、逆多重化された各チャネルを該当波長に対応する逆多重化ポート３２２〜３２４に出力する。例えば、第１波長分割多重化部３２０は第２チャネル（λ２）を第１２逆多重化ポート３２３に出力し、第ｎチャネル（λｎ）を第１ｎ逆多重化ポート３２４に出力する。第１及び第２波長分割多重化部３２０，３６０としては、チャネルの拡張が容易で、制御も簡単な上に、集積度に優れた配列導波路型格子を使用できる。
【００３３】
第１〜第ｎアド／ドロップ部３３０，３４０，…，３５０は、第１波長分割多重化部３２０の第１１〜第１ｎ逆多重化ポート３２２〜３２４とそれぞれ（一対一で）連結されている。これら第１〜第ｎアド／ドロップ部３３０，３４０，…，３５０は、それぞれ一対のサーキュレーター３３２，３３６；３４２，３４６；３５２，３５６と、その対間の反射器３３４，３４４，３５４を備えている。第１〜第ｎアド／ドロップ部３３０，３４０，…，３５０はいずれも同構成なので、以下、第１アド／ドロップ部３３０を代表として説明することにする。
【００３４】
第１アド／ドロップ部３３０の第１１サーキュレーター３３２は、第１〜第３ポート３３２１〜３３２３を具備し、その上位ポートに入力されたチャネルを隣接した下位ポートに出力するように構成される。第１１サーキュレーター３３２の第１ポート３３２１は第１波長分割多重化部３２０の第１１逆多重化ポート３２２と連結されている。そして、第１１サーキュレーター３３２は、第１ポート３３２１に入力された第１チャネル（λ１）を第２ポート３３２２に出力し、第２ポート３３２２に入力された第１チャネル（λ１）を第３ポート３３２３に出力することにより、第１チャネル（λ１）を除去する。
【００３５】
第１アド／ドロップ部３３０の第１反射器３３４は、第１１サーキュレーター３３２の第２ポート３３２２と第１２サーキュレーター３３６の第２ポート３３６２との間に連結され、オン／オフ状態に応じて、入力されたチャネルを透過（オフ状態）させるか反射（オン状態）させる。第１反射器３３４としては、制御信号に応じて透過率が変化する波長無依存性の両面反射器を使用できる。
【００３６】
第１アド／ドロップ３３０の第１２サーキュレーター３３６は、第１〜第３ポート３３６１〜３３６３を具備し、その上位ポートに入力されたチャネルを隣接した下位ポートに出力するように構成される。すなわち、第１２サーキュレーター３３６は、第１ポート３３６１に入力された第１チャネル（λ１）を第２ポート３３６２に出力し、第２ポート３３６２に入力された第１チャネル（λ１）を第３ポート３３６３に出力することにより、第１チャネル（λ１）を追加する。
【００３７】
第２波長分割多重化部３６０は、光ファイバ３１０と連結される第２多重化ポート３６１と、それぞれ逆多重化されたチャネルの通路になる第２１〜第２ｎ逆多重化ポート３６２〜３６６を具備する。第２波長分割多重化部３６０は、第２１〜第２ｎ逆多重化ポート３６２〜３６６に入力された多数のチャネルを波長分割多重化し、多重化光信号を第２多重化ポート３６１に出力する。
【００３８】
この例の光アド／ドロップ多重化器が、入力された光信号から第１チャネル（λ１）を除去する場合と、光信号に第１チャネル（λ１）を追加する場合を例に挙げて説明すると下記の通りである。
【００３９】
これらの場合、制御部（図示せず）は第１アド／ドロップ部３３０の第１反射器３３４をオン状態に、残りの第２〜第ｎ反射器３４４、３５４をオフ状態に制御する。
【００４０】
まず、第１アド／ドロップ部３３０の第１チャネル（λ１）の除去過程を説明すると、第１波長分割多重化部３２０は、入力された光信号を波長分割逆多重化し、逆多重化された第１チャネル（λ１）を第１１逆多重化ポート３２２に出力する。第１１逆多重化ポート３２２は第１アド／ドロップ部３３０の第１１サーキュレーター３３２と連結されている。第１１サーキュレーター３３２は第１ポート３３２１に入力された第１チャネル（λ１）を第２ポート３３２２に出力し、そして第１反射器３３４が、その第１チャネル（λ１）を反射させる。第１１サーキュレーター３３２は、反射して第２ポート３３２２に入力された第１チャネル（λ１）を第３ポート３３２３に出力することにより、第１チャネル（λ１）を除去する。
【００４１】
次に、第１アド／ドロップ部３３０の第１チャネル（λ１）の追加過程を説明すると、第１２サーキュレーター３３６は第１ポート３３６１に入力された第１チャネル（λ１）を第２ポート３３６２に出力し、そして第１反射器３３４が、その第１チャネル（λ１）を反射させる。第１２サーキュレーター３３６は、反射して第２ポート３３６２に入力された第１チャネル（λ１）を第３ポート３３６３に出力し、この第３ポート３３６３は第２波長分割多重化部３６０の第２１逆多重化ポート３６２と連結されている。第２波長分割多重化部３６０は、第２１逆多重化ポート３６２と残りの第２２〜第２ｎ逆多重化ポート３６４，３６６に入力されたチャネル（λ１〜λｎ）を波長分割多重化し、多重化光信号を第２多重化ポート３６１に出力する。
【００４２】
図４Ａ及び図４Ｂは、図３に示された第ｎアド／ドロップ部の動作を説明するための図面である。
【００４３】
図４Ａは、第ｎアド／ドロップ部３５０が第ｎチャネル（λｎ）を除去（ドロップ）した後、第ｎチャネル（λｎ）を追加（アド）する過程を示したものである。まず、第ｎチャネル（λｎ）の除去過程を説明すると、第ｎ１サーキュレーター３５２は第１ポート３５２１に入力された第ｎチャネル（λｎ）を第２ポート３５２２に出力し、そして第ｎ反射器３５４が予めオン状態に設定されているので、第ｎチャネル（λｎ）を反射させる。第ｎ１サーキュレーター３５２は、反射して第２ポート３５２２に入力された第ｎチャネル（λｎ）を第３ポート３５２３に出力することにより、第ｎチャネル（λｎ）を除去する。次に、第ｎチャネル（λｎ）の追加過程を説明すると、第ｎ２サーキュレーター３５６は第１ポート３５６１に入力された第ｎチャネル（λｎ）を第２ポート３３６２に出力し、そして第ｎ反射器３５４が、その第ｎチャネル（λｎ）を反射させる。第ｎ２サーキュレーター３５６は、第２ポート３５６２に入力された第ｎチャネル（λｎ）を第３ポート３５６３に出力することにより、第ｎチャネル（λｎ）を追加する。
【００４４】
図４Ｂは、第ｎアド／ドロップ部３５０が第ｎチャネル（λｎ）を透過させる過程を示したものである。第ｎ１サーキュレーター３５２は、第１ポート３５２１に入力された第ｎチャネル（λｎ）を第２ポート３５２２に出力し、そして第ｎ反射器３５４が予めオフ状態に設定されているので、第ｎチャネル（λｎ）を通過させる。第ｎ２サーキュレーター２５６は、第２ポート３５６２に入力された第ｎチャネル（λｎ）を第３ポート３５６３に出力する。
【００４５】
前述したように、本発明に係る光アド／ドロップ多重化器は受動素子であるサーキュレーターと波長無依存性の反射器を用いることにより、追加又は除去されるチャネルの波長に関係なく作動し、高速スイッチングが可能で、制御が容易になる利点がある。また、本発明に係る光アド／ドロップ多重化器は受動素子であるサーキュレーターと波長無依存性の反射器を用いることにより、温度調節装置のような付随的な装置を最小化できて、簡単な構成で低コスト化になる利点がある。
【図面の簡単な説明】
【００４６】
【図１】従来の技術による光アド／ドロップ多重化器を示した図。
【図２】本発明による光アド／ドロップ多重化器の第１実施例を示したブロック図。
【図３】本発明による光アド／ドロップ多重化器の第２実施例を示したブロック図。
【図４】図３に示した第ｎアド／ドロップ部の動作を説明するための図。
【符号の説明】
【００４７】
２２０，３２０，３６０  波長分割多重化部
２３０，２４０，２５０，３３０，３４０，３５０  光アド／ドロップ部
２３２，２４２，２５２，３３２，３３６，３４２，３４６，３５２，３５６  サーキュレータ（循環部）
２３４  ２４４，２５４，３３４，３４４，３５４  反射器
【図１】
2004336783.tif 000003
【図２】
2004336783.tif 000004
【図３】
2004336783.tif 000005
【図４】
2004336783.tif 000006